(57)【要約】【課題】番組表に表示された番組情報を比較しようとする場合に、比較対象となる番組情報が離れていても比較しやすい番組表作成装置、番組表作成方法、番組表作成プログラム、記憶媒体、及びテレビジョン受信機の提供。【解決手段】番組表作成装置としての演算制御手段は、制御装置８１と、メモリとを備える。制御装置８１は、ＥＰＧ情報から番組情報を取得し、各番組情報を表示手段に表示可能な一覧番組表を作成する一覧番組表作成部８１１と、視聴者により一覧番組表から選択された番組情報の放送時間帯と放送時間帯が重複し、かつ、該番組情報のチャンネル番号と異なるチャンネル番号に係る各重複番組情報をＥＰＧ情報から取得する重複番組情報取得部８１３と、各重複番組情報を表示手段に表示可能な重複番組表を作成する重複番組表作成部８１４とを備える。【選択図】図２
2008005038.tif 000002
【特許請求の範囲】
【請求項１】
テレビジョン放送信号に重畳される電子番組情報に基づいて、チャンネル番号、放送時間帯、及び番組名が関連付けられた各番組情報を表示手段に一覧表示可能な一覧番組表を作成する一覧番組表作成部と、
前記一覧番組表の各番組情報のうち、いずれかの番組情報を選択する旨の選択情報を取得し、選択された番組情報を認識する選択情報認識部と、
前記テレビジョン放送信号に重畳される電子番組情報から、前記選択情報認識部により認識される番組情報の放送時間帯と放送時間帯が重複し、かつ、該番組情報のチャンネル番号と異なるチャンネル番号に係る各重複番組情報を取得する重複番組情報取得部と、
前記重複番組情報取得部により取得される各重複番組情報を前記表示手段に表示可能な重複番組表を作成する重複番組表作成部とを備えることを特徴とする番組表作成装置。
【請求項２】
テレビジョン放送信号に重畳される電子番組情報に基づいて、チャンネル番号、放送時間帯、及び番組名が関連付けられた各番組情報を表示手段に一覧表示可能な一覧番組表を作成する一覧番組表作成工程と、
前記一覧番組表の各番組情報のうち、いずれかの番組情報を選択する旨の選択情報を取得し、選択された番組情報を認識する選択情報認識工程と、
前記テレビジョン放送信号に重畳される電子番組情報から、前記選択情報認識工程により認識される番組情報の放送時間帯と放送時間帯が重複し、かつ、該番組情報のチャンネル番号と異なるチャンネル番号に係る各重複番組情報を取得する重複番組情報取得工程と、
前記重複番組情報取得工程により取得される各重複番組情報を前記表示手段に表示可能な重複番組表を作成する重複番組表作成工程とを実行することを特徴とする番組表作成方法。
【請求項３】
請求項２に記載の番組表作成方法をコンピュータに実行させることを特徴とする番組表作成プログラム。
【請求項４】
請求項３に記載の番組表作成プログラムが記録されていることを特徴とするコンピュータに読取可能な記録媒体。
【請求項５】
テレビジョン放送信号を受信する放送信号受信手段と、
操作に応じた操作信号を出力する操作手段と、
チャンネルの選局操作により前記操作手段から出力される操作信号に基づく選局チャンネルに係るテレビジョン放送信号を前記放送信号受信手段に受信させるとともに、該テレビジョン放送信号に基づいてテレビジョン映像を生成して表示手段に表示させる制御手段とを備えて構成されるテレビジョン受信機であって、
請求項１に記載の番組表作成装置を備え、
前記操作手段は、前記番組表作成装置にて作成された一覧番組表の各番組情報のうち、いずれかの番組情報を選択する旨の操作に応じた操作信号を出力可能に構成され、
前記制御手段は、前記番組表作成装置にて作成された一覧番組表、及び重複番組表を、前記表示手段に表示させる表示制御部を備えることを特徴とするテレビジョン受信機。
【請求項６】
請求項５に記載のテレビジョン受信機において、
前記制御手段は、チャンネルの選局の有効、無効が設定されたチャンネル設定情報を記憶するチャンネル設定情報記憶部を備え、
前記表示制御部は、前記表示手段に前記重複番組表を表示させる際、前記チャンネル設定情報記憶部により記憶されたチャンネル設定情報に基づいて、選局が有効であるチャンネル番号に係る重複番組情報と、選局が無効であるチャンネル番号に係る重複番組情報とで表示状態を異なるものとすることを特徴とするテレビジョン受信機。
【請求項７】
請求項６に記載のテレビジョン受信機において、
前記操作手段は、前記番組表作成装置にて作成された重複番組表の各重複番組情報のうち、いずれかの重複番組情報を選択する旨の操作に応じた操作信号を出力可能に構成され、
前記選択情報認識部は、前記重複番組情報の選択操作により前記操作手段から出力される操作信号に基づく選択情報を取得し、選択された重複番組情報を認識するとともに、前記チャンネル設定情報記憶部に記憶されたチャンネル設定情報を、認識した重複番組情報に係るチャンネルの選局を有効とするチャンネル設定情報に変更することを特徴とするテレビジョン受信機。
【請求項８】
請求項５から請求項７のいずれかに記載のテレビジョン受信機において、
前記重複番組情報作成部は、前記選択情報認識部により認識される番組情報の放送時間帯と、前記各重複番組情報の放送時間帯との重複時間を取得し、該重複時間と、各重複番組情報とを前記表示手段に表示可能な重複番組表を作成することを特徴とするテレビジョン受信機
【請求項９】
請求項８に記載のテレビジョン受信機において、
前記表示制御部は、前記表示手段に前記重複番組表を表示させる際、前記重複時間の長さに応じて前記各重複番組情報の表示状態を異なるものとすることを特徴とするテレビジョン受信機。
【発明の詳細な説明】
【技術分野】
【０００１】
本発明は、番組表作成装置、番組表作成方法、番組表作成プログラム、記憶媒体、及びテレビジョン受信機に関する。
【背景技術】
【０００２】
従来、放送局から放送されるテレビジョン番組のチャンネル番号や放送時間帯等の番組情報をもとに、番組表を生成してディスプレイに表示することのできるテレビジョン受信機が知られている。
この番組表は、テレビジョン放送信号に重畳させて搬送される電子番組情報、例えば、ＥＰＧ（Electronic Program Guide）情報を用いて生成されるものである。
【０００３】
例えば、番組表を表示する際に、視聴者が契約を結ばなければ視聴することができないチャンネルの番組情報を番組表に表示しないようにする技術が提案されている（例えば、特許文献１参照）。
これによれば、視聴者が誤って視聴することができないチャンネルを選択することがなくなり、チャンネル選択の操作性を向上することができる。
【０００４】
【特許文献１】特開２００２−２５２８１７号公報
【発明の開示】
【発明が解決しようとする課題】
【０００５】
ところで、番組表に表示する番組情報数が多い場合には、番組表に表示された番組情報を比較しようとする場合に、比較対象となる番組情報が離れていると、スクロール操作によって一方の表示が消えてしまい比較しにくいという問題もあった。
特許文献１では、前述したように、視聴することができないチャンネルの番組情報を番組表に表示しないようにしているため、番組表に表示する番組情報数は少なくなるが、これらの問題点については解決されていない。
【０００６】
本発明の目的は、番組表に表示された番組情報を比較しようとする場合に、比較対象となる番組情報が離れていても比較しやすい番組表作成装置、番組表作成方法、番組表作成プログラム、記憶媒体、及びテレビジョン受信機を提供することにある。
【課題を解決するための手段】
【０００７】
本発明の番組表作成装置は、テレビジョン放送信号に重畳される電子番組情報に基づいて、チャンネル番号、放送時間帯、及び番組名が関連付けられた各番組情報を表示手段に一覧表示可能な一覧番組表を作成する一覧番組表作成部と、前記一覧番組表の各番組情報のうち、いずれかの番組情報を選択する旨の選択情報を取得し、選択された番組情報を認識する選択情報認識部と、前記テレビジョン放送信号に重畳される電子番組情報から、前記選択情報認識部により認識される番組情報の放送時間帯と放送時間帯が重複し、かつ、該番組情報のチャンネル番号と異なるチャンネル番号に係る各重複番組情報を取得する重複番組情報取得部と、前記重複番組情報取得部により取得される各重複番組情報を前記表示手段に表示可能な重複番組表を作成する重複番組表作成部とを備えることを特徴とする。
【０００８】
このような構成によれば、一覧番組表の各番組情報から選択された番組情報を取得し、この番組情報の放送時間帯と放送時間帯が重複し、かつ、この番組情報のチャンネル番号と異なるチャンネル番号に係る各重複番組情報を表示手段に表示可能な重複番組表を作成することができる。
したがって、一覧番組表、及び重複番組表を表示手段に表示すれば、視聴者は、表示手段に表示された番組情報を確認することで、一覧番組表に表示する番組情報数が多い場合においても、一覧番組表から選択した番組情報と、重複番組表に表示された重複番組情報とを比較することができるから、比較対象となる番組情報が離れていても画面をスクロールする必要がなく比較しやすい。
【０００９】
本発明の番組表作成方法は、テレビジョン放送信号に重畳される電子番組情報に基づいて、チャンネル番号、放送時間帯、及び番組名が関連付けられた各番組情報を表示手段に一覧表示可能な一覧番組表を作成する一覧番組表作成工程と、前記一覧番組表の各番組情報のうち、いずれかの番組情報を選択する旨の選択情報を取得し、選択された番組情報を認識する選択情報認識工程と、前記テレビジョン放送信号に重畳される電子番組情報から、前記選択情報認識工程により認識される番組情報の放送時間帯と放送時間帯が重複し、かつ、該番組情報のチャンネル番号と異なるチャンネル番号に係る各重複番組情報を取得する重複番組情報取得工程と、前記重複番組情報取得工程により取得される各重複番組情報を前記表示手段に表示可能な重複番組表を作成する重複番組表作成工程とを実行することを特徴とする。
【００１０】
本発明に係る番組表作成方法は、前述した番組表作成装置の作用および効果と同様の作用および効果を享受することができる。
また、本発明は、前記番組表作成方法をコンピュータに実行させるプログラムとしても構成することができ、さらには、このプログラムを記録したコンピュータに読取可能な記録媒体としても構成することができる。
【００１１】
本発明のテレビジョン受信機は、テレビジョン放送信号を受信する放送信号受信手段と、操作に応じた操作信号を出力する操作手段と、チャンネルの選局操作により前記操作手段から出力される操作信号に基づく選局チャンネルに係るテレビジョン放送信号を前記放送信号受信手段に受信させるとともに、該テレビジョン放送信号に基づいてテレビジョン映像を生成して表示手段に表示させる制御手段とを備えて構成されるテレビジョン受信機であって、前述の番組表作成装置を備え、前記操作手段は、前記番組表作成装置にて作成された一覧番組表の各番組情報のうち、いずれかの番組情報を選択する旨の操作に応じた操作信号を出力可能に構成され、前記制御手段は、前記番組表作成装置にて作成された一覧番組表、及び重複番組表を、前記表示手段に表示させる表示制御部を備えることを特徴とする。
【００１２】
本発明に係るテレビジョン受信機は、前述した番組表作成装置の作用および効果と同様の作用および効果を享受することができる。さらに、視聴者は、重複番組表により、選択した番組と放送時間帯が重複する他の番組を確認できるから、視聴したい番組を容易に選局できる。
【００１３】
本発明では、前記制御手段は、チャンネルの選局の有効、無効が設定されたチャンネル設定情報を記憶するチャンネル設定情報記憶部を備え、前記表示制御部は、前記表示手段に前記重複番組表を表示させる際、前記チャンネル設定情報記憶部により記憶されたチャンネル設定情報に基づいて、選局が有効であるチャンネル番号に係る重複番組情報と、選局が無効であるチャンネル番号に係る重複番組情報とで表示状態を異なるものとすることが好ましい。
【００１４】
このような構成によれば、チャンネル設定情報に基づいて、例えば、チャンネルの選局が無効であるチャンネル番号に係る重複番組情報に星印を付して表示することができる。これにより、視聴者は、チャンネルの選局が無効である重複番組情報を容易に判断することができる。
【００１５】
本発明では、前記操作手段は、前記番組表作成装置にて作成された重複番組表の各重複番組情報のうち、いずれかの重複番組情報を選択する旨の操作に応じた操作信号を出力可能に構成され、前記選択情報認識部は、前記重複番組情報の選択操作により前記操作手段から出力される操作信号に基づく選択情報を取得し、選択された重複番組情報を認識するとともに、前記チャンネル設定情報記憶部に記憶されたチャンネル設定情報を、認識した重複番組情報に係るチャンネルの選局を有効とするチャンネル設定情報に変更することが好ましい。
【００１６】
このような構成によれば、視聴者は、重複番組表を見ながらチャンネルの選局が無効であるチャンネル設定情報に係る重複番組情報を選択することにより、この重複番組情報に係るチャンネルの選局を有効とすることができる。したがって、視聴者は、改めてチャンネルの選局を有効にする設定を行う必要がなく、重複番組表の利便性を高めることができる。
【００１７】
本発明では、前記重複番組情報作成部は、前記選択情報認識部により認識される番組情報の放送時間帯と、前記各重複番組情報の放送時間帯との重複時間を取得し、該重複時間と、各重複番組情報とを前記表示手段に表示可能な重複番組表を作成することが好ましい。
このような構成によれば、視聴者は、一覧番組表から選択した番組情報の放送時間帯と、重複番組情報の放送時間帯との重複時間を容易に確認することができ、例えば、この重複時間をもとに視聴するテレビジョン番組の予定を立てることができる。
【００１８】
本発明では、前記表示制御部は、前記表示手段に前記重複番組表を表示させる際、前記重複時間の長さに応じて前記各重複番組情報の表示状態を異なるものとすることが好ましい。
このような構成によれば、重複時間の長さに応じて各重複番組情報の表示状態を異なるものとするから、例えば、重複番組情報の重複時間が１５分以内である場合と、重複時間が１５分より長い場合とで表示状態を異なるものとすることができる。これにより、視聴者は、迅速に重複時間の長さを判断することができ、さらに、視聴するテレビジョン番組の予定を立てやすくできる。
【発明を実施するための最良の形態】
【００１９】
以下、本発明の実施形態を図面に基づいて説明する。
図１は、本発明の実施形態におけるテレビジョン受信機のブロック図である。
テレビジョン受信機１は、図１に示すように、受信機本体２と、この受信機本体２を遠隔操作する操作手段としてのリモコン（リモートコントローラ）３とを備えている。
リモコン３は、複数の操作キーを備え、例えば、視聴者により操作キーが押下されてチャンネルが選局されると、押下された操作キーに応じた操作信号を赤外線により受信機本体２に送信する。なお、リモコン３は、赤外線によって操作信号を送信するとしたが、電波によって操作信号を送信するように構成してもよい。
【００２０】
受信機本体２は、リモコン３から送信される操作信号に基づく選局チャンネルに係るテレビジョン放送信号を受信して、映像、及び音声を出力するものであり、操作信号検出手段４と、放送信号選局手段５と、映像音声出力手段７と、演算制御手段８と、表示手段としての画像表示装置９と、スピーカ１０と、入力選択装置１１とを備えている。
また、この受信機本体２は、テレビジョン放送信号に重畳される電子番組情報としてのＥＰＧ情報を取得することが可能であり、ＥＰＧ情報受信手段６を備えて構成される。
【００２１】
操作信号検出手段４は、視聴者によるリモコン３の操作を検出する手段であり、リモコン３により送信される操作信号を受信するリモコン受光装置４１と、リモコン受光装置４１により受信される操作信号を、演算制御手段８が読取可能な信号に変換して出力するキー入力処理装置４２とを備えて構成されている。
【００２２】
放送信号選局手段５は、アンテナ（図示せず）を介して受信されるテレビジョン放送信号から選局チャンネルに係るテレビジョン放送信号を受信する放送信号受信手段としてのチューナー５１と、演算制御手段８を介して選局チャンネルを受信し、この情報に基づいてチューナー５１を操作する選局処理装置５２とを備えている。
【００２３】
ＥＰＧ情報受信手段６は、チューナー５１が受信したテレビジョン放送信号に重畳させて搬送されるＥＰＧ情報を取得するＥＰＧ情報取得装置６１と、ＥＰＧ情報取得装置６１により取得されるＥＰＧ情報を記憶するＥＰＧ情報記憶装置６２とを備えている。このＥＰＧ情報には、テレビジョン放送信号により放映されるテレビジョン番組の番組情報（チャンネル番号、放送局名、識別番号、放映日、放映開始日時、放映終了日時、番組名、番組内容、ジャンル等）が含まれている。
【００２４】
映像音声出力手段７は、チューナー５１が受信したテレビジョン放送信号を、入力選択装置１１を介して受信し、映像信号、及び音声信号とに分離する映像音声処理装置７１と、映像音声処理装置７１により分離された映像信号（テレビジョン映像）を画像表示装置９に出力する映像出力装置７２と、映像音声処理装置７１により分離された音声信号をスピーカ１０に出力する音声出力装置７３とを備えている。
【００２５】
なお、入力選択装置１１は、チューナー５１が受信したテレビジョン放送信号を受信する他、例えば、受信機本体２のビデオ入力等の端子（図示せず）に外部接続機器１２が接続され、外部接続機器１２から映像信号等の信号を受信する場合がある。この場合には、視聴者によりリモコン３の操作キーが押下されることにより、操作信号検出手段４が視聴者による入力切替操作を検出し、演算制御手段８が入力選択装置１１を操作することで、映像音声処理装置７１にて受信する信号を切り替えることができる。
【００２６】
演算制御手段８は、受信機本体２の各装置に接続されるとともに、各装置の制御を行う制御装置８１と、制御装置８１に接続されるチャンネル設定情報記憶部としてのメモリ８２とを備えて構成されている。
また、メモリ８２は、チャンネルの選局の有効、無効を設定されたチャンネル設定情報を記憶する他、番組表作成プログラム、及び番組表作成プログラムにより処理された情報等を記憶する。
【００２７】
なお、本実施形態において、制御手段は、操作信号検出手段４と、選局処理装置５２と、ＥＰＧ情報受信手段６と、映像音声出力手段７と、演算制御手段８と、入力選択装置１１とにより構成されている。
【００２８】
制御装置８１は、図２に示すように、一覧番組表作成部８１１と、選択情報認識部８１２と、重複番組情報取得部８１３と、重複番組表作成部８１４と、表示制御部８１５とを備えている。
一覧番組表作成部８１１は、一覧番組表の作成を指示する操作によりリモコン３から出力される操作信号に基づいて、ＥＰＧ情報記憶装置６２により記憶されたＥＰＧ情報から、チャンネル番号、放送時間帯、及び番組名が関連付けられた番組情報を取得し、各番組情報を画像表示装置９に一覧表示可能な番組表を作成する。
【００２９】
選択情報認識部８１２は、番組表の中から番組情報を選択する操作によりリモコン３から出力される操作信号に基づいて、選択された番組情報を認識する。
重複番組情報取得部８１３は、ＥＰＧ情報記憶装置６２により記憶されたＥＰＧ情報から、選択情報認識部８１２により認識される番組情報の放送時間帯と放送時間帯が重複し、かつ、該番組情報のチャンネル番号と異なるチャンネル番号に係る各重複番組情報を取得する。
【００３０】
重複番組表作成部８１４は、重複番組情報取得部８１３により取得される各重複番組情報を画像表示装置９に表示可能な重複番組表を作成する。
表示制御部８１５は、一覧番組表作成部８１１により作成される一覧番組表と、重複番組表作成部８１４により作成される重複番組表とを、映像出力装置７２を介して画像表示装置９のディスプレイに表示させる。
【００３１】
なお、本実施形態において、番組表作成装置８３は、一覧番組表作成部８１１と、選択情報認識部８１２と、重複番組情報取得部８１３と、重複番組表作成部８１４とにより構成されている。
【００３２】
次に、テレビジョン受信機１で実行される制御方法について説明する。
制御方法は、図３に示すように、一覧番組表作成工程Ｓ１と、一覧番組表表示工程Ｓ２と、選択情報認識工程Ｓ３と、重複番組情報取得工程Ｓ４と、重複番組表作成工程Ｓ５と、重複番組表表示工程Ｓ６とを備える。以下、図３〜図７を参照して各工程について詳述する。
なお、本制御方法では、番組表作成装置で実行される番組表作成方法について主に説明し、他の制御方法については説明を省略する。
図３は、本発明の実施形態における番組表作成方法の各工程を示したフローチャートである。
【００３３】
視聴者により、リモコン３の操作キーが押下されて一覧番組表の表示が指示されると、一覧番組表作成部８１１により、一覧番組表作成工程Ｓ１が実行される。
図４は、本発明の実施形態における一覧番組表作成工程Ｓ１の各工程を示したフローチャートである。
一覧番組表作成部８１１は、まず、現在の選局チャンネル、本実施形態においてはＣｈ（チャンネル）１５０を取得し（Ｓ１１）、この選局チャンネルに係る番組情報を、ＥＰＧ情報記憶装置６２により記憶されたＥＰＧ情報から取得する（Ｓ１２）。本実施形態においては、例えば、チャンネル番号、放送局名、放映開始日時、及び放映終了日時が関連付けられた番組情報を取得する。
【００３４】
そして、一覧番組表作成部８１１は、画像表示装置９のディスプレイに表示可能な数のチャンネルに係る番組情報を取得したか否かを評価し（Ｓ１３）、画像表示装置９のディスプレイに表示可能な数のチャンネルに係る番組情報を取得していない場合には、例えば、チャンネル番号をインクリメントして次のチャンネル（Ｃｈ１５１）を選択し（Ｓ１４）、繰り返し番組情報を取得する。
【００３５】
一方、一覧番組表作成部８１１は、画像表示装置９のディスプレイの一画面に表示可能な数のチャンネルに係る番組情報を取得した場合には、取得した各番組情報に基づいて一覧番組表を作成する。
なお、メモリ８２は、作成した一覧番組表を記憶する。
【００３６】
一覧番組表が作成されると、表示制御部８１５により、一覧番組表表示工程Ｓ２が実行される。
表示制御部８１５は、一覧番組表作成部８１１により作成された一覧番組表を、映像出力装置７２を介して画像表示装置９のディスプレイに表示させる（例えば、図５）。
【００３７】
一覧番組表が画像表示装置９のディスプレイに表示されると、視聴者は、リモコン３の操作キーを押下することにより、カーソルを移動させ、一覧番組表の中から番組情報を選択することができる。
【００３８】
視聴者により、一覧番組表から番組情報が選択されると、選択情報認識部８１２により、選択情報認識工程Ｓ３が実行される。
選択情報認識部８１２は、リモコン３から出力される操作信号に基づいて番組情報を認識する。本実施形態においては、例えば、図５中太枠で示されるカーソルを、視聴者がリモコン３の操作キーを押下することにより移動して番組情報を選択することができる。そして、例えば、視聴者によりＣｈ１５０の「Ｄｒ．スカンク」が選択されると、選択情報認識部８１２は、カーソルの位置情報を取得し、この位置情報に基づいてＣｈ１５０に係るチャンネル番号、及び放送時間帯（放映開始日時、及び放映終了日時）が関連付けられた番組情報を認識する。
【００３９】
番組情報が認識されると、重複番組情報取得部８１３により、重複番組情報取得工程Ｓ４が実行される。
図６は、本発明の実施形態における重複番組情報取得工程Ｓ４の各工程を示したフローチャートである。
【００４０】
重複番組情報取得部８１３は、まず、例えば、選択情報認識部８１２により認識される番組情報のチャンネル番号をインクリメントして、次のチャンネル（Ｃｈ１５１）を選択し（Ｓ４１）、選択情報認識部８１２により認識される番組情報の放送時間帯と放送時間帯が重複する重複番組情報を、ＥＰＧ情報記憶装置６２により記憶されたＥＰＧ情報から取得する。例えば、本実施形態においては、Ｃｈ１５１において、Ｃｈ１５０の「Ｄｒ．スカンク」と放送時間帯が重複する「赤木勲のゴルフレッスン」に係るチャンネル番号、放映開始日時、放映終了日時、番組名が関連付けられた重複番組情報を取得する（Ｓ４２）。
【００４１】
そして、重複番組情報取得部８１３は、選択情報認識部８１２により認識される番組情報のチャンネル番号を除く、全てのチャンネル番号に係る重複番組情報を取得したか否かを評価し（Ｓ４３）、全てのチャンネル番号に係る重複番組情報を取得していない場合には、再度、チャンネル番号をインクリメントして（Ｓ４１）、繰り返し重複番組情報を取得する（Ｓ４２）。
【００４２】
なお、本実施形態においては、メモリ８２にはチャンネルの選局が無効であるチャンネル設定情報として、Ｃｈ１５５が記憶されている。
ここで、重複番組情報取得部８１３は、このＣｈ１５５に係る重複番組情報をも取得する。
一方、全てのチャンネル番号に係る重複番組情報を取得した場合には、重複番組情報取得部８１３は、重複番組情報取得工程Ｓ４の実行を終了する。
【００４３】
各重複番組情報が取得されると、重複番組表作成部８１４により、重複番組表作成工程Ｓ５が実行される。
重複番組表作成部８１４は、まず、選択情報認識部８１２により認識される番組情報の放送時間帯と、重複番組情報の放送時間帯とから計算により重複時間を取得する。
そして、重複番組表作成部８１４は、この重複時間と、重複番組情報取得部８１３により取得された各重複番組情報とに基づいて重複番組表を作成する。
なお、メモリ８２は、作成した重複番組表を記憶する。
【００４４】
重複番組表が作成されると、表示制御部８１５により、重複番組表表示工程Ｓ６が実行される。
表示制御部８１５は、この重複番組表を、映像出力装置７２を介して画像表示装置９のディスプレイに一覧番組表に重畳させて表示させる（例えば、図７）。
このとき、表示制御部８１５は、チャンネル設定情報に基づいて、チャンネルの選局が無効であるＣｈ１５５に係る重複番組情報のチャンネル番号の右側に星印を付して表示する（図７）。
【００４５】
また、表示制御部８１５は、重複番組情報の重複時間が１５分以内である場合と、重複時間が１５分より長い場合とで表示状態を異なるものとして表示させる。
ここでは、Ｃｈ１５０の「Ｄｒ．スカンク」と、Ｃｈ１５２の「スッパイナーマン２」との重複時間が５分であるので、Ｃｈ１５２の「スッパイナーマン２」に係る重複番組情報は、他の重複番組情報と異なる表示状態で表示する（図７）。
【００４６】
重複番組表が画像表示装置９のディスプレイに表示されると、視聴者は、リモコン３の操作キーを押下することにより、カーソルを移動させ、重複番組表の中から番組情報を選択することができる。また、重複番組表に表示されるチャンネル数が多い場合には、重複番組表をスクロールすることができる。
【００４７】
視聴者により、重複番組表から重複番組情報が選択されると、選択情報認識部８１２は、リモコン３から出力される操作信号に基づいて重複番組情報を認識する。
選択情報認識部８１２により重複番組情報が認識されると、テレビジョン受信機１は、視聴者によるチャンネルの選局があった場合と同様に、選択情報認識部８１２により認識される重複番組情報のチャンネル番号に係るテレビジョン放送信号を受信して、映像、及び音声を出力する。
【００４８】
このとき、選択情報認識部８１２は、チャンネルの選局が無効であるＣｈ１５５が認識されると、メモリ８２に、このＣｈ１５５を消去させる。
したがって、再度、表示制御部８１５が、重複番組表を、映像出力装置７２を介して画像表示装置９のディスプレイに表示させる場合には、Ｃｈ１５５は、チャンネルの選局が有効であるから、Ｃｈ１５５に係る重複番組情報のチャンネル番号の右側には星印が付されない。
【００４９】
前記実施形態に係るテレビジョン受信機１によれば、次のような効果がある。
（１）視聴者は、一覧番組表に表示する番組情報数が多い場合においても、一覧番組表から選択した番組情報と、重複番組表に表示された重複番組情報とを比較することができるから、比較対象となる番組情報が離れていても画面をスクロールする必要がなく比較しやすい。
【００５０】
（２）表示制御部８１５は、チャンネル設定情報に基づいて、チャンネルの選局が無効であるチャンネル番号に係る重複番組情報に星印を付して表示するから、視聴者は、チャンネルの選局が無効である重複番組情報を容易に判断することができる。
【００５１】
（３）選択情報認識部８１２は、チャンネルの選局が無効であるチャンネル番号に係る重複番組情報が認識されると、メモリ８２に、この重複番組情報のチャンネル番号を消去させるから、視聴者は、改めてチャンネルの選局を有効にする設定を行う必要がなく、重複番組表の利便性を高めることができる。
【００５２】
（４）表示制御部８１５は、重複時間と、重複番組情報取得部８１３により取得された各重複番組情報とに基づいて作成された重複番組表を画像表示装置９のディスプレイに表示させるから、視聴者は、一覧番組表から選択した番組情報の放送時間帯と、重複番組情報の放送時間帯との重複時間を容易に確認することができ、例えば、この重複時間をもとに視聴するテレビジョン番組の予定を立てることができる。
（５）表示制御部８１５は、重複時間の長さに応じて各重複番組情報の表示状態を異なるものとするから、視聴者は、迅速に重複時間の長さを判断することができ、さらに、視聴するテレビジョン番組の予定を立てやすくできる。
【００５３】
なお、本発明は前記実施形態に限定されるものではなく、本発明の目的を達成できる範囲での変形、改良等は本発明に含まれるものである。
例えば、操作手段はリモコン３であったが、受信機本体２のスイッチ等により操作してもよく、要するに、視聴者の操作に応じて操作信号を出力することができればよい。
【００５４】
また、メモリ８２は、チャンネルの選局が無効であるチャンネル番号を記憶していたが、チャンネルの選局が有効であるチャンネル番号を記憶してもよく、さらには、両方を記憶してもよく、要するに、チャンネル設定情報に基づいてチャンネルの選局が無効であることを認識することができればよい。
【００５５】
また、チャンネル番号、放送局名、放映開始日時、及び放映終了日時が関連付けられた番組情報と、チャンネル番号、放映開始日時、放映終了日時、番組名が関連付けられた重複番組情報とを取得していたが、これ以外の情報が関連付けられた番組情報、または重複番組情報をＥＰＧ情報記憶装置６２により記憶されたＥＰＧ情報から取得してもよく、要するに、視聴者が番組情報を比較することができる情報であればよい。
【００５６】
一覧番組表作成部８１１は、現在の選局チャンネルのチャンネル番号をインクリメントして、次のチャンネルを選択し、番組情報を取得していたが、例えば、以下のように取得してもよい。
例えば、現在の選局チャンネルのチャンネル番号をデクリメントして、前のチャンネル番号を選択してもよく、選択可能な最も小さいチャンネル番号を選択して番組情報を取得し、このチャンネル番号をインクリメントして、次のチャンネル番号を選択してもよい。
要するに、表示手段に表示可能な数のチャンネルに係る番組情報を取得することができればよい。
【００５７】
重複番組表作成部８１４は、重複番組情報取得部８１３により取得されるチャンネル番号をインクリメントして、次のチャンネルを選択し、重複番組情報を取得していたが、選択可能な最も小さいチャンネル番号から選択してもよく、要するに、全てのチャンネル番号に係る重複番組情報を取得することができればよい。
【００５８】
また、表示制御部８１５は、重複番組情報の重複時間が１５分以内である場合と、重複時間が１５分より長い場合とで表示状態を異なるものとして表示させていたが、重複時間の長さは、３０分以内等でもよく、また、複数の重複時間の長さに応じて重複番組情報の表示状態を異なるものとしてもよい。さらに、表示制御部８１５は、表示色により表示状態を異なるものとしていたが、点滅表示等にしてもよく、要するに、視聴者が迅速に重複番組情報の重複時間の長さを判断することができればよい。
【００５９】
また、メモリ８２により記憶されたチャンネルの選局が無効であるチャンネル番号に係る重複番組情報に星印を付して表示していたが、米印等を付しても、重複番組情報の表示色を異なるものとしてもよく、要するに、視聴者がチャンネルの選局が無効であるチャンネル番号を容易に判断することができればよい。
【００６０】
また、重複番組情報の表示状態は、表示制御部８１５が、チャンネルの選局が無効であるチャンネル番号、及び重複時間を認識して異なるものとしていたが、重複番組表作成部８１４がこれらを認識して異なるものとしてもよく、要するに、重複番組情報の表示状態を異なるものとして表示手段に表示させることができればよい。
【００６１】
また、番組表作成装置８３は、テレビジョン受信機１に設けていたが、これ以外の機器例えば、セットトップボックス等に設けてもよく、要するに、テレビジョン放送信号に重畳される電子番組情報を受信することができればよい。
【図面の簡単な説明】
【００６２】
【図１】本発明の実施形態におけるテレビジョン受信機のブロック図である。
【図２】同テレビジョン受信機の制御装置を示すブロック図である。
【図３】本発明の実施形態における制御方法の各工程を示したフローチャートである。
【図４】本発明の実施形態における一覧番組表作成工程の各工程を示したフローチャートである。
【図５】本発明の実施形態における一覧番組表を示す図である。
【図６】本発明の実施形態における重複番組情報取得工程の各工程を示したフローチャートである。
【図７】本発明の実施形態における一覧番組表と、重複番組表とを示す図である。
【符号の説明】
【００６３】
１…テレビジョン受信機、２…受信機本体、３…リモコン、６…ＥＰＧ情報受信手段、８…演算制御手段、９…画像表示装置、６１…ＥＰＧ情報取得装置、６２…ＥＰＧ情報記憶装置、８１…制御装置、８２…メモリ、８１１…一覧番組表作成部、８１２…選択情報認識部、８１３…重複番組情報取得部、８１４…重複番組表作成部、８１５…表示制御部、Ｓ１…一覧番組表作成工程、Ｓ２…一覧番組表表示工程、Ｓ３…重選択情報認識工程、Ｓ４…重複番組情報取得工程、Ｓ５…重複番組表作成工程、Ｓ６…重複番組表表示工程。
【図１】
2008005038.tif 000003
【図２】
2008005038.tif 000004
【図３】
2008005038.tif 000005
【図４】
2008005038.tif 000006
【図５】
2008005038.tif 000007
【図６】
2008005038.tif 000008
【図７】
2008005038.tif 000009